(57)【要約】      （修正有）【課題】筐体強度を向上することが可能な電子機器の提供。【解決手段】側壁３は第１の側壁３ａと第１の背壁３ｂを有している。筐体２の後方に位置し、第１の側壁３ａと第１の背壁３ｂとのにより形成される角部８は、第１の側壁３ａから徐々に側方に突出するテーパー面１１と、このテーパー面１１からさらに伸びる側壁９と、第１の背壁３ｂから徐々に後方に突出するテーパー面１２と、このテーパー面１２から更に伸びる背壁１０とにより形成される。テーパー面１１と側壁９とにより第２の側壁を成し、テーパー面１２と背壁１０とにより第２の背壁を成している。したがって、第２の側壁と第２の背壁とにより角部を形成することとなり、第２の側壁と第２の背壁とはそれぞれ第１の側壁３ａと第１の背壁３ｂに対して側方および後方に突出している。【選択図】図２
2006178716.tif 000002
【特許請求の範囲】
【請求項１】
本体筐体と、
上記本体にヒンジ装置を介してか移動可能に接続される表示部と、を具備し、
上記本体筐体の後部における角部は、上記本体筐体に閉じられた状態の上記表示部の側壁よりも突出していることを特徴とする電子機器。
【請求項２】
本体筐体と、
上記本体ヒンジ装置を介してか移動可能に接続される表示部と、を具備し、
上記本体は、第１の側壁と第１の背壁と、上記側壁に連続するとともに上記側壁よりも突出する第２の側壁と、上記背壁に連続するとともに上記背壁よりも突出する第２の背壁とを有し、上記第２の側壁と上記第２の背壁とは上記本体筐体の後部における角部を形成することを特徴とする電子機器。
【請求項３】
上記角部には上記ヒンジ装置が実装されるとともに、上記ヒンジ装置と上記第１の側壁と上記第１の背壁との間には間隙が設けられることを特徴とする請求項２記載の電子機器。
【発明の詳細な説明】
【技術分野】
【０００１】
本発明は、ノート型コンピュータ等の電子機器に係り、特に筐体構造に関する。
【背景技術】
【０００２】
近年ノート型コンピュータ等の電子機器は軽量化、薄型化が追及され、携帯性を大きく向上させている。しかしながら、携帯頻度が高くなるにつれ、携帯時に落としたり、机とかにぶつけてしまうという自体も発生しており、筐体の強度向上が必要である。
【０００３】
このような筐体強度向上を目的としたものとして、筐体の角部にクッション算によるプロテクターを設けたものもある。
【０００４】
（特許文献１参照。）。
【特許文献１】米国特許５５８３７４２号公報（第５カラム第１０行目以降、第９カラム第４０行目以降）
【発明の開示】
【発明が解決しようとする課題】
【０００５】
しかし、文献１による筐体の保護構造は筐体とは別部材、すなわち弾力性を持ったクッション材を筐体の角部に設ける必要があり、コスト、製造性、デザイン性等の面で好ましくなく、また、機器の重量が増加したりするという問題が存在する。また文献１の着想は、筐体の強度を向上するというものではなく、筐体を保護するという観点のものである。
【０００６】
そこで本発明は、筐体強度を向上することが可能な電子機器の提供を目的とする。
【課題を解決するための手段】
【０００７】
上記目的を達成するために、請求項１における電子機器は、本体筐体と、本体にヒンジ装置を介してか移動可能に接続される表示部と、を具備し、本体筐体の後部における角部は、本体筐体に閉じられた状態の表示部の側壁よりも突出していることを特徴とする電子機器。
【０００８】
また、請求項２における電子機器は、本体筐体と、本体ヒンジ装置を介してか移動可能に接続される表示部と、を具備し、本体は、第１の側壁と第１の背壁と、側壁に連続するとともに側壁よりも突出する第２の側壁と、背壁に連続するとともに背壁よりも突出する第２の背壁とを有し、第２の側壁と第２の背壁とは本体筐体の後部における角部を形成することを特徴とする電子機器。
【発明の効果】
【０００９】
本発明によれば、筐体の強度を保持しつつ、通風孔をより大きく形成することは可能となる。
【発明を実施するための最良の形態】
【００１０】
以下本発明に係る実施の形態を、図面を参照して説明する。図１は、電子機器の斜視図である。図１に示すように、ノート型コンピュータ(電子機器)１は本体筐体２を有している。本体筐体２は側壁３を有している。本体２にはヒンジ部４を介して表示部５が回動可能に接続されている。本体筐体２の上面にはキーボード６が実装されている。
【００１１】
図２は、電子機器本体の後部における角部の拡大図である。側壁３は第１の側壁３ａと第１の背壁３ｂを有している。筐体２の後方に位置し、第１の側壁３ａと第１の背壁３ｂとのにより形成される角部８は、第１の側壁３ａから徐々に側方に突出するテーパー面１１と、このテーパー面１１からさらに伸びる側壁９と、第１の背壁３ｂから徐々に後方に突出するテーパー面１２と、このテーパー面１２から更に伸びる背壁１０とにより形成される。テーパー面１１と側壁９とにより第２の側壁を成し、テーパー面１２と背壁１０とにより第２の背壁を成している。したがって、第２の側壁と第２の背壁とにより角部を形成することとなり、第２の側壁と第２の背壁とはそれぞれ第１の側壁３ａと第１の背壁３ｂに対して側方および後方に突出している。
【００１２】
本体２には保持部４が配置されるための切欠き１４が形成され、後述するヒンジ装置のシャフト１３が突出している。
【００１３】
図３は、上ケースをはずした電子機器本体の後部における角部の平面図である。図４は、上ケースをはずした電子機器本体の後部における角部の斜視図である。
【００１４】
角部８にはヒンジ装置２０が配置されている。ヒンジ装置２０はブラケット２１を有している。ブラケット２１は本体２の底壁３ｃにねじ２２，２３によりねじ固定される。ブラケット２１は第２の側壁方向に延びる延部２１ａを有しており、延部２１ａには側壁９と平行に上方に起こされる起立壁２５が設けられている。起立壁２５と対向して、側壁９と起立壁２５との間には底壁３より上方に突出する補強壁３０が設けられている。
【００１５】
ブラケット２１の端部２４にはシャフト１３の一端１３ａが結合されている。ブラケット２１と背壁１０との間には補強壁３０と同様に補強壁３１が設けられている。
【００１６】
表示部５が本体２上に閉じられた状態においては、表示部５の側壁および背壁は本体２の第１の側壁３ａおよび第１の背壁３ｂとは、機器上面より見た状態においてほぼ同じ線上に位置する。したがって第２の側壁（側壁９，テーパー面１１）および第２の背壁（背壁１０、テーパー面１２）は、表示部５の側壁および背壁よりも側方および後方に突出している状態である。
【００１７】
したがって、電子機器１を落下させたような場合、角部８が突出しているため最初に床面に接触し、表示部５が床面等に最初に接触するのを防ぐことができ、表示部５および筐体全体の強度をあげることができる。また、角部８には補強壁３０および３１が設けられており、角部８から床面に落下したとき内部に配置されているヒンジブラケット２１および起立壁２５と、側壁９および背壁１０との衝突を防ぎヒンジブラケット２１により側壁９および背壁１０の破損を防止することができる。
【００１８】
本発明ではその主旨を逸脱しない範囲であれば、上記の実施形態に限定されるものではない。そして、携帯電話、電子手帳等にも広く適用できるものである。
【図面の簡単な説明】
【００１９】
【図１】電子機器の斜視図。
【図２】電子機器本体の後部における角部の拡大図。
【図３】上ケースをはずした電子機器本体の後部における角部の平面図。
【図４】上ケースをはずした電子機器本体の後部における角部の斜視図。
【符号の説明】
【００２０】
１…ノート型コンピュータ、２…本体筐体、３，９…側壁、３ａ…第１の側壁、３ｂ…第１の背壁、３ｃ…底壁、４…ヒンジ部、５…表示部、６…キーボード、３ａ…第１の側壁、３ｂ…第１の背壁、３ｃ…底壁、８…角部、１０…背壁、１１，１２…テーパー面、１３…シャフト、１４…切欠き、２０…ヒンジ装置、２１…ブラケット、２１ａ…延部、２５…起立壁、３０，３１…補強壁
【図１】
2006178716.tif 000003
【図２】
2006178716.tif 000004
【図３】
2006178716.tif 000005
【図４】
2006178716.tif 000006